(57)【要約】【課題】運送時に保護すべき記録媒体等の対象物を収納した状態で、運送可能であることは勿論のこと、構成が簡単であると共に、運送時の衝撃から当該対象物を保護可能な運送用保護容器を提供する。【解決手段】多数の独立気泡１１が形成されたキャップフィルム１２と、キャップフィルム１２の一方の面に設けられたベースフィルム１３とを有する気泡シート１５と、気泡シート１５の一方の面側に配設された不織布１６を備え、不織布１６が内側に位置すると共に、運送可能な寸法を有する袋からなる運送用保護容器である。【選択図】図１
2013199290.tif 000002
【特許請求の範囲】
【請求項１】
収納される対象物を保護する運送用保護容器であって、
多数の独立気泡が形成されたキャップフィルムと、当該キャップフィルムの一方の面に設けられたベースフィルムとを有する気泡シートと、
前記気泡シートの一方の面側に配設された不織布と、
を備え、
前記不織布が内側に位置すると共に、運送可能な寸法を有する袋からなる運送用保護容器。
【請求項２】
前記気泡シートと不織布との間に、ライナーフィルムが配設されてなる請求項1記載の運送用保護容器。
【請求項３】
前記袋が定形郵便物として郵送可能な寸法を有する請求項1または請求項２記載の運送用保護容器。
【請求項４】
前記袋の内部空間を分割する仕切りが配設されてなり、当該仕切りが不織布から形成されてなる請求項１ないし請求項３のいずれか一項に記載の運送用保護容器。
【請求項５】
前記袋の内部空間を分割する仕切りが配設されてなり、当該仕切りが、多数の独立気泡が形成されたキャップフィルムと、当該キャップフィルムの一方の面に設けられたベースフィルムとを有する気泡シートの両面に不織布が配設された多層構造を有する請求項１ないし請求項４のいずれか一項に記載の運送用保護容器。
【請求項６】
前記袋を２つ備え、一方の袋の一端と他方の袋の一端とが接続されてなり、当該接続部分に沿って折り曲げた状態が維持される請求項１ないし請求項５のいずれか一項に記載の運送用保護容器。
【請求項７】
前記接続部分に沿ってミシン目が形成されてなる請求項６記載の運送用保護容器。
【請求項８】
前記接続部分に沿って折り曲げた際に、一方の袋に他方の袋が着脱可能に固定される固定部を形成してなる請求項６または請求項７記載の運送用保護容器。
【請求項９】
前記袋の対象物挿入口に、当該袋を封緘するための封緘部が形成されてなる請求項１ないし請求項８のいずれか一項に記載の運送用保護容器。
【請求項１０】
前記袋の外表面に筆記可能な筆記面が形成されてなる請求項１ないし請求項９のいずれか一項に記載の運送用保護容器。
【発明の詳細な説明】
【技術分野】
【０００１】
本発明は、運送時に保護すべき記録媒体等（例えば、ＣＤ、ＤＶＤ、ブルーレイ、ＦＤ等）の対象物を収納した状態で運送可能であり、運送時の衝撃から当該対象物を保護する運送用保護容器に関する。
【背景技術】
【０００２】
従来、記録媒体等を郵送する際には、郵送時の衝撃からこれらを保護するため、記録媒体等をプラスチック製の保護ケースに納めて封書で郵送していた。しかしながら、この方法は、重量がかさむと共に、寸法も大きくなり、定形外郵便の扱いになるため、郵便料金が高くなる。
【０００３】
そこで、近年では、定形郵便物の寸法、重量の範囲内で記録媒体等を郵送可能な容器が提供されている。（例えば、特許文献１〜７参照）。
【先行技術文献】
【特許文献】
【０００４】
【特許文献１】特開平９−５８７７６号公報
【特許文献２】特開平９−５８７７９号公報
【特許文献３】特開平９−１１８３８４号公報
【特許文献４】特開平９−１７５５８１号公報
【特許文献５】特開２００７−１６２９号公報
【特許文献６】実用新案登録番号第３０２１０５１号
【特許文献７】実用新案登録番号第３０２６１５４号
【発明の概要】
【発明が解決しようとする課題】
【０００５】
しかしながら、特許文献１に記載された郵送ケースは、段ボール紙製矩形平板の表面に粘着力が微弱な非移行性の粘着シートを貼着した構成を有し、当該粘着シートによって、ＣＤが密着した状態になるので、郵送中にＣＤがずれたり、傷付いたりすることを防止するものであるが、前記矩形平板にＣＤの外周に係合する欠き部を形成したり、ＣＤの外周をガイドする折り曲げ罫線を設ける等、構造が複雑である。
【０００６】
特許文献２に記載された郵送用容器は、不織布の単体、又は、内側面にＣＤ保護用の不織布を接着した板紙を用いて全体を偏平な袋状に構成したものであるが、三つ折り可能な板紙からなる台紙を２つ折りにして重ね、重ねられなかった残りの部分に、２枚の袋板からなる袋状容器体を接着した構成を有し、構造が複雑である。
【０００７】
特許文献３に記載された郵送ケースは、段ボール製であり、展開可能な箱形のケース本体と、当該ケース本体に収納され、ＣＤの外周をガイドするホルダとを有しており、当該ホルダにＣＤの一方の外周を係止する第１係止用突片と、ＣＤの他方の外周を係止する第２係止用突片を設ける等、構造が複雑である。
【０００８】
特許文献４に記載された封筒は、封筒の内面に塩化ビニルフィルム又はポリプロピレンフィルム等の内張りフィルムを添着した構成を備えているが、ＣＤを封筒と内張りフィルムで保護する構成であるため、当該ＣＤを十分に保護できない虞がある。
【０００９】
特許文献５に記載された収納ケースは、ＣＤ等が収納されるプラスチックケース本体と、プラスチックケース本体の外側面又は内側面に一体に覆設されたエアクッション材とを有するものであるが、定形郵便物の寸法、重量の範囲内でＣＤ等を郵送するための工夫はなされていない。
【００１０】
特許文献６に記載された郵送用ケースは、板紙からなる本体の中央部にＣＤが収容される円形状の凹部を有し、当該凹部にプラスチックフィルムを貼着した構成を備えているが、凹部を形成する等、構造が複雑であると共に、ＣＤをプラスチックフィルムで保護する構成であるため、ＣＤを十分に保護できない虞がある。
【００１１】
また、特許文献７に記載されたＣＤケースは、ベースと、当該ベースを固定した台紙と、当該台紙の片側に延設した２つ折りのフラップを有し、前記ベースにＣＤを収容する凹部を形成し、この凹部の中央にＣＤを固定する固定部を設けた構成を備えており、構造が複雑である。
【００１２】
本発明は、このような事情に鑑みなされたものであり、運送時に保護すべき記録媒体等の対象物を収納した状態で、運送可能であることは勿論のこと、構成が簡単であると共に、運送時の衝撃から当該対象物を保護可能な運送用保護容器を提供することを目的とする。
【課題を解決するための手段】
【００１３】
この目的を達成するため本発明は、収納される対象物を保護する運送用保護容器であって、多数の独立気泡が形成されたキャップフィルムと、当該キャップフィルムの一方の面に設けられたベースフィルムとを有する気泡シートと、前記気泡シートの一方の面側に配設された不織布と、を備え、前記不織布が内側に位置すると共に、運送可能な寸法を有する袋からなる運送用保護容器を提供するものである。
【００１４】
この構成を備えた運送用保護容器に収容された対象物（例えば、記録媒体等）は、気泡シートと不織布との二層構造体によって保護されるため、運送時に受ける衝撃から対象物を確実に守ることができる。また、本発明に係る運送用保護容器は袋状であり、対象物を固定するための部材を配設する必要がない。したがって、構成が単純であり、製造コストを低減することができる。
【００１５】
また、本発明に係る運送用保護容器は、前記気泡シートと不織布との間に、ライナーフィルムが配設されていてもよい。このように構成することで、気泡シートと不織布とをより強固に固定することができる。
【００１６】
さらにまた、前記袋は、定形郵便物として郵送可能な寸法を有することができる。このように構成することで、対象物を定形郵便物の料金で郵送することができ、さらに経済的である。
【００１７】
そしてまた、前記袋は、例えば、宅配便等で取り扱っているメール便として運送可能な寸法を有することができる。このように構成することで、対象物をメール便の料金で運送することができ、さらに経済的である。また、この場合、定形郵便物よりも多くの対象物を運送することもできる。
【００１８】
また、本発明に係る運送用保護容器には、前記袋の内部空間を分割する仕切りを配設することができ、この仕切りは不織布から形成することができる。この構成により、運送用保護容器内の前記仕切りを挟んだ両側に対象物を収納することができる。ここで、仕切りの配設数は、対象物を収容した運送用保護容器が定形郵便物として運送可能な寸法の範囲内の厚さを維持できれば、任意に設定することができる。このように、収納された対象物は不織布によって仕切られるため、互いに直接接触することがなく、対象物同士がぶつかり合って傷付いたり破損したりすることを防止することができると共に、複数の対象物を収容することができる。
【００１９】
そしてまた、本発明に係る運送用保護容器には、前記袋の内部空間を分割する仕切りを配設することができ、この仕切りは、多数の独立気泡が形成されたキャップフィルムと、当該キャップフィルムの一方の面に設けられたベースフィルムとを有する気泡シートの両面に不織布が配設された多層構造を有することができる。なお、この場合も、キャップフィルムの前記独立気泡が形成されている面と、不織布との間には、ライナーフィルムが配設されていてもよい。このような構成の場合、収納された対象物は仕切りによって仕切られるため、互いに直接接触することがなく、対象物同士がぶつかり合って傷付いたり破損したりすることを防止することができると共に、複数の対象物を収容することができる。
【００２０】
さらにまた、本発明に係る運送用保護容器は、前記袋を２つ備え、一方の袋の一端と他方の袋の一端とが接続されてなり、当該接続部分に沿って折り曲げた状態が維持される構成を備えてもよい。このように構成することで、一方の袋に対象物を収納して運送する際に、他方の袋を返信用とすることができる。この構成の場合、前記接続部分に沿ってミシン目を形成することで、他方の袋を返信用とする際に、一方の袋と他方の袋を当該ミシン目に沿って簡単に分離することができる。また、前記接続部分に沿って折り曲げた状態を維持するため、前記接続部分に沿って折り曲げた際に、一方の袋に他方の袋が着脱可能に固定される固定部を形成してもよい。
【００２１】
また、本発明に係る運送用保護容器は、前記袋の対象物挿入口に、当該袋を封緘するための封緘部を形成することもできる。
【００２２】
そしてまた、本発明に係る運送用保護容器は、前記袋の外表面に筆記可能な筆記面を形成し、当該筆記面に、例えば、宛先等を記載できるようにしてもよい。
【発明の効果】
【００２３】
本発明によれば、運送時に保護すべき記録媒体等の対象物を収納した状態で、運送可能であり、構成が簡単であると共に、運送時の衝撃から当該対象物を保護可能な運送用保護容器を提供することができる。
【図面の簡単な説明】
【００２４】
【図１】本発明の実施形態１に係る運送用保護容器の斜視図である。
【図２】図１のII−II線に沿った断面図である。
【図３】本発明の実施形態１に係る運送用保護容器を構成する多層シートの製造工程の一部を示す模式図である。
【図４】図１に示す運送用保護容器の使用例を示す斜視図である。
【図５】本発明の実施形態２に係る運送用保護容器の斜視図である。
【図６】図５に示す運送用保護容器の一部拡大平面図である。
【図７】本発明の他の実施形態に係る運送用保護容器を構成する多層シートの断面図である。
【図８】本発明の実施形態３に係る運送用保護容器の斜視図である。
【図９】図８に示す運送用保護容器の使用例を示す斜視図である。
【図１０】本発明の他の実施形態に係る運送用保護容器の斜視図である。
【図１１】本発明の他の実施形態に係る運送用保護容器の使用例を示す斜視図である。
【図１２】本発明の他の実施形態に係る運送用保護容器の正面図である。
【発明を実施するための形態】
【００２５】
次に、本発明の実施形態に係る運送用保護容器について図面を参照して説明する。なお、以下に記載される実施形態は、本発明を説明するための例示であり、本発明をこれらの実施形態にのみ限定するものではない。したがって、本発明は、その要旨を逸脱しない限り、様々な形態で実施することができる。
【００２６】
（実施形態１）
図１は、本発明の実施形態１に係る運送用保護容器の斜視図、図２は、図１のII−II線に沿った断面図、図３は、図１に示す運送用保護容器を構成する多層シートの製造工程の一部を示す模式図、図４は、図１に示す運送用保護容器の使用例を示す斜視図である。なお、前記各図では、説明を判り易くするため、各部材の厚さやサイズ、拡大・縮小率等は、実際のものとは一致させずに記載した。
【００２７】
図１及び図２に示すように、実施形態１に係る運送用保護容器１は、定形郵便物として郵送可能であり、内部にＣＤを収容可能な寸法を有している。即ち、運送用保護容器１は、内部にＣＤを収容した際に、縦：２３．５ｃｍ（許容差２ｍｍ）、横：１２ｃｍ（許容差２ｍｍ）、厚さ：１ｃｍの範囲内となる寸法を備えている。
【００２８】
この運送用保護容器１は、多数の独立気泡１１が形成されたキャップフィルム１２と、キャップフィルム１２の一方の面に設けられたベースフィルム１３とを有する気泡シート１５と、気泡シート１５の独立気泡１１が形成されている面（ベースフィルム１３が配設された面とは反対側の面）に配設されたライナーフィルム２１を介して配設された不織布１６とを備えた多層シート２０から形成されている。この運送用保護容器１は、多層シート２０の内側が不織布１６となり且つ袋状となるように、多層シート２０を重ね、重ねた多層シート２０の両側と当該両側に連続する一方の縁を例えば熱融着することで形成されている。なお、符号１７は、運送用保護容器１を封緘するための封緘部としてのフラップである。
【００２９】
キャップフィルム１２は、例えば低密度ポリエチレンフィルム（密度：約０．９２ｇ／ｃｍ３、独立気泡を形成する前の厚さ：約４０μｍ）から構成されている。このキャップフィルム１２に形成されている複数の独立気泡１１は、例えば、加熱ロールによって溶融状態で流送されてくるフィルムを、真空吸引ロールで引き取ってキャップ型の凹凸を作出させることで得られたものであり、このような製造方法は従来から周知である。なお、このキャップフィルム１２は、独立気泡１１の直径が約７ｍｍ、高さが約２．５ｍｍとなるように製造した。
【００３０】
ベースフィルム１３は、例えば低密度ポリエチレンフィルム（密度：約０．９２ｇ／ｃｍ３、厚さ：約２０μｍ）から構成されており、キャップフィルム１２の独立気泡１１が凹部となる面に、ライナーフィルム２１を介して圧着することにより配設される。
【００３１】
ライナーフィルム２１は、例えば低密度ポリエチレンフィルム（密度：約０．９２ｇ／ｃｍ３、厚さ：約１０μｍ）から構成されている。
【００３２】
不織布１６は、例えばポリエチレンテレフタレート（ＰＥＴ）繊維製、ＰＥＴ／ポリエチレン（ＰＥ）（芯／鞘）複合繊維製、ポリプロピレン（ＰＰ）／ポリエチレン（ＰＥ）（芯／鞘）複合繊維製、ＰＰ繊維製、ＰＥ繊維製等、一般的に使用されている不織布を所望により選択して使用することができる。
【００３３】
多層シート２０は、図３に示すように、ロール状に巻かれた原反から巻き出されて供給される不織布１６を、Ｔダイ１１０から供給されるライナーフィルム２１を介して、気泡シート１５の独立気泡１１が形成されている面に、シールロール１０１により、圧着することにより製造される。
【００３４】
この構成を備えた運送用保護容器１は、図４に示すように、内部にＣＤ２００を収容すると、収容されたＣＤ２００の表面には、不織布１６が接触すると共に、気泡シート１５によって保護されることになる。したがって、運送時に衝撃を受けたとしても、ＣＤ２００が破損したり、傷付いたりすることを確実に防止することができる。また、ＣＤ２００の表面には、不織布１６が接触するため、例えばＣＤ２００の表面に接触したフィルムがＣＤ２００に密着してくっつく等のトラブルが生じることもない。
【００３５】
また、運送用保護容器１の表面には、宛名シール等を貼着することができる。また、運送用保護容器１の表面には、油性の筆記具等により文字等を書くこともできる。また、運送用保護容器１の表面となるベースフィルム１３の表面の一部あるいは全部に表面処理を行い、他の筆記具でも筆記可能な筆記面を形成してもよい。また、運送用保護容器１の表面の所望位置に印刷を施し、この印刷部分に筆記してもよい。さらにまた、運送用保護容器１の表面の所望位置に紙を貼り、この紙に筆記してもよい。
【００３６】
このように、実施形態１に係る運送用保護容器１は、製造工程が簡単であり、形状も単純であるため、製造コストを抑えることができる。また、定形郵便物の寸法、重量の範囲内であるため郵送可能であり、郵送費を抑えることができると共に、郵送時の衝撃からＣＤ２００を確実に保護することができ安全に郵送することができる。
【００３７】
なお、実施形態１では、フラップ１７を設けた構成について説明したが、これに限らず、フラップ１７は必ずしも設けなくてもよい。また、フラップ１７の代わりに、例えば、面ファスナ、レールファスナ、ジッパ（ジップファスナ）、両面テープ等、他の封緘手段を用いてもよい。
【００３８】
また、気泡シート１５の厚さ、独立気泡１１のサイズ、不織布１６の厚さ等は、所望により決定することができる。
【００３９】
そしてまた、実施形態１では、ライナーフィルム２１を介して不織布１６を配設した場合について説明したが、これに限らず、ライナーフィルム２１は必ずしも設けなくてもよい。即ち、気泡シート１５の独立気泡１１が形成されている面に不織布１６を直接配設してもよい。
【００４０】
また、実施形態１では、定形郵便物として郵送可能な運送用保護容器１について説明したが、これに限らず、運送用保護容器１は、例えば、宅配便、メール便等、他の運送手段によって運送可能であってもよい。
【００４１】
そしてまた、運送用保護容器１を定形郵便物として郵送しない場合は、例えば、袋の底面にマチ（内側に折込まれた折込部分）を設けたり、袋の側面にマチを設けてもよい。
【００４２】
さらにまた、実施形態１では、運送用保護容器１にＣＤ２００を収容する場合について説明したが、これに限らず、運送用保護容器１には、ＤＶＤ、ブルーレイ、ＦＤ等、運送用保護容器１に収容可能であれば、収容される対象物は特に限定されるものではない。
【００４３】
（実施形態２）
次に、本発明の実施形態２に係る運送用保護容器について図面を参照して説明する。なお、実施形態２では、実施形態１で説明した部材と同様の部材には同一の符号を付し、その詳細な説明は省略する。
【００４４】
図５は、本発明の実施形態２に係る運送用保護容器の斜視図、図は、図５に示す運送用保護容器の一部拡大平面図、図７は、本発明の他の実施形態に係る運送用保護容器を構成する多層シートの断面図である。
【００４５】
図５及び図６に示すように、実施形態２に係る運送用保護容器２の実施形態１に係る運送用保護容器１と異なる主な点は、袋状に形成した多層シート２０に袋の内部空間を分割する仕切り３５を設けた点と、封緘用のフラップを設けていない点である。即ち、運送用保護容器２は、重ねた多層シート２０の両側と当該両側に連続する一方の縁を例えば熱融着することで袋状にする際に、仕切り３５を挟んで多層シート２０を重ね、重ねた多層シート２０の両側と仕切り３５の両縁を共に、例えば熱融着することで形成されている。なお、実施形態２では、仕切り３５として不織布を使用した。
【００４６】
このように、運送用保護容器２の内部を仕切り３５によって分割することで、仕切り３５を挟んだ両側にＣＤ（図示せず）を収納することができる。したがって、２枚のＣＤは互いに直接接触することがなく、ＣＤ同士がぶつかり合って傷付いたり破損したりすることを防止することができる。また、１つの運送用保護容器２で２枚のＣＤを収容することができ、経済的である。
【００４７】
なお、実施形態２では、１枚の仕切り３５を配設した場合について説明したが、これに限らず、仕切り３５の配設数は、ＣＤ（対象物）を収容した運送用保護容器２が運送可能な寸法の範囲内の厚さを維持できれば、任意に設定することができる。
【００４８】
また、運送用保護容器２を、ＣＤ（対象物）の枚数が比較的多くても運送することができるメール便等で運送する場合、仕切り３５を複数枚配設すると共に、袋の底面にマチを設けたり、袋の側面にマチを設けてもよい。
【００４９】
また、実施形態２では、不織布からなる仕切り３５を配設した場合について説明したが、これに限らず、仕切り３５は、例えば、図７に示すように、気泡シート１５のベースフィルム１３及びライナーフィルム２１の各々の面に不織布１６を配設した構成であってもよい。また、仕切り３５は、発泡シートの少なくとも一方の面に不織布を配設した構成を有していてもよい。そしてまた、運送用保護容器２に封緘用のフラップ、面ファスナ、レールファスナ、ジッパ（ジップファスナ）、両面テープ等を設けてもよい。また、気泡シート１５の独立気泡１１が形成されている面に不織布１６を直接配設してもよい。
【００５０】
（実施形態３）
次に、本発明の実施形態３に係る運送用保護容器について図面を参照して説明する。なお、実施形態３では、実施形態１で説明した部材と同様の部材には同一の符号を付し、その詳細な説明は省略する。
【００５１】
図８は、本発明の実施形態２に係る運送用保護容器の斜視図、図９は、図８に示す運送用保護容器の使用例を示す斜視図である。図８及び図９に示すように、実施形態３に係る運送用保護容器３の実施形態１に係る運送用保護容器１と異なる主な点は、袋状に形成した多層シート２０を２つ接続した点と、封緘用のフラップを設けていない点である。
【００５２】
即ち、運送用保護容器３は、多層シート２０の内側が不織布１６となり且つ袋状となるように、多層シート２０の両側を例えば熱融着して形成した第１の袋２５と、第１の袋２５と同様の第２の袋２６を備え、第１の袋２５の縁と、第２の袋２６の縁とを熱融着等により接続し、この接続部分３０にミシン目３１を形成した構成を備えている。したがって、第１の袋２５を往信用とし、ミシン目３１に沿って接続部分３０を切り離せば、第２の袋２６を返信用として使用することができる。また、この運送用保護容器３は、図９に示すように、接続部分３０を折り目として２つ折りにすることができるため、定形郵便物として郵送可能である。
【００５３】
なお、運送用保護容器３には、接続部分３０を折り目として２つ折りにした際に、この寸法（定形郵便物として使用する場合は、郵送可能な寸法）を維持することをさらに確実にできるように、例えば、第１の袋２５に面テープの雄型を設け、第２の袋２６に面テープの雌型を設ける、あるいは、両者に剥離できる接着剤を設ける等、第１の袋２５と第２の袋２６とを着脱可能に固定（仮止め）する固定部を設けてもよい。
【００５４】
また、図１０に示すように、第１の袋２５の接続部分３０とは反対側の縁と、第２の袋２６の接続部分３０とは反対側の縁とを、例えば熱融着して接続し、この接続部分４０にミシン目４１を形成してもよい。このように構成することで、例えば郵送時には、接続部分３０及び４０によって両者が接続された状態で、第１の袋２５（往信用）にＣＤを挿入して郵送し、ＣＤを例えば返却する際には、ミシン目３１及び４１に沿って接続部分３０及び４０を切り離し、第２の袋２６（返信用）にＣＤを挿入して郵送することができる。
【００５５】
なお、実施形態３では、接続部分３０にミシン目３１を形成した場合について説明したが、これに限らず、ミシン目３１は必ずしも形成しなくてもよい。そしてまた、運送用保護容器３に封緘用のフラップ、面ファスナ、レールファスナ、ジッパ（ジップファスナ）、両面テープ等を設けてもよい。
【００５６】
また、実施形態３では、第１の袋２５及び第２の袋２６を有する場合について説明したが、これに限らず、袋の配設数は、３枚以上等、任意に決定することができる。
【００５７】
さらにまた、運送用保護容器３は、実施形態２と同様に、第１の袋２５及び第２の袋２６に、それぞれ１枚または複数の仕切り３５を配設してもよく、袋の底面にマチを設けたり、袋の側面にマチを設けてもよい。
【００５８】
また、運送用保護容器１〜３の外側表面には、ＰＥＴフィルム、ＰＰフィルム等がラミネートされていてもよい。このようにすることで、袋状にする際の加工性がさらに向上すると共に、さらに強度を向上させることができる。
【００５９】
そしてまた、運送用保護容器１〜３は、容器内の内容物が外から見えないようにするため、例えば、透過性が低い色の不織布１６を使用する、運送用保護容器１〜３の表側となる面に印刷を施す等してもよい。
【００６０】
さらにまた、例えば、レンタルＣＤ等のように、ＣＤの表面に商品管理のバーコードが貼着されている場合、例えば、図１１に示すように、ＣＤ２００の記録面が対向する面（接触する面）５１を多層シート２０から形成し、ＣＤ２００のバーコード２０１が貼着されている面が対向する面（記録面とは反対側の面）５２を、気泡シート１５あるいは、気泡シート１５にライナーフィルム２１を配設したシートから形成してもよい。この時、運送用保護容器にＣＤを挿入した際に、ＣＤ２００のバーコード２０１が位置する領域に、バーコード２０１が見える窓２０５を形成してもよい。この窓２０５は、例えば、気泡シート１５あるいは、気泡シート１５にライナーフィルム２１を配設したシートを打ち抜き、その上からバーコード２０１を目視可能なフィルムを貼る、あるいは、気泡を設けない等により形成することができる。このようにすることで、ＣＤ２００を運送用保護容器に挿入した際に、運送用保護容器の面５２を介してバーコード２０１を確認することができ、ＣＤ２００を運送用保護容器から取り出すことなくバーコード２０１をバーコードリーダーで確実に読むことができる。
【００６１】
また、フラップ１７を配設する場合、例えば、図１２に示すように、フラップ１７の長さを長くし、フラップ１７の長さ方向略中央部にミシン目６１を入れ、フラップ１７のミシン目６１よりも先端部６２に送付先（往信先）の情報（住所や氏名等）を記載、あるいは記載されたシール６４を貼着し、フラップ１７のミシン目６１よりも基端部６３に、返信先の情報を記載、あるいは記載されたシール６５を貼着してもよい。このようにすることで、この運送用保護容器を受け取ったユーザ（往信者）は、ミシン目６１に沿って先端部６２を切り取ることで、この運送用保護容器を返信用として使用することができる。なお、返信先の情報が記載されたシール６５は、往信時には運送用保護容器内に入れておき、返信者が返信時に基端部６３に貼着してもよい。
【符号の説明】
【００６２】
１〜３…運送用保護容器、１１…独立気泡、１２…キャップフィルム、１３…ベースフィルム、１５…気泡シート、１６…不織布、２０…多層シート、２５…第1の袋、２６…第２の袋、３０…接続部分、３１…ミシン目、３５…仕切り
【図１】
2013199290.tif 000003
【図２】
2013199290.tif 000004
【図３】
2013199290.tif 000005
【図４】
2013199290.tif 000006
【図５】
2013199290.tif 000007
【図６】
2013199290.tif 000008
【図７】
2013199290.tif 000009
【図８】
2013199290.tif 000010
【図９】
2013199290.tif 000011
【図１０】
2013199290.tif 000012
【図１１】
2013199290.tif 000013
【図１２】
2013199290.tif 000014